(57)【要約】【課題】電子辞書や電卓（電子式卓上計算機）、ポータブルゲーム機などの二次電池が切れたときに、わざわざ机から動き回ることなく、手間・隙かけずに簡単に電池を二次充電することができる、二次電池の充電器付き机を提供することが課題である。【解決手段】二次電池を充電するための充電器１を具備した机５とし、該充電器１は、机５の前に座った人が立つことなしに手の届く範囲の部位に設けられるものとする。この充電器１は机５の載置面５１に対して垂直な面に設けられるものとし、例えば、該充電器１は机５の本棚の底板部分を構成する基部５２の前面に取り付けられている。【選択図】  図１
0003106009.tif 000002
【実用新案登録請求の範囲】
【請求項１】
二次電池を充電するための充電器を具備した机としたこと特徴とする二次電池の充電器付き机。
【請求項２】
前記充電器は、前記机の前に座った人が立つことなしに手の届く範囲の部位に設けられたことを特徴とする請求項１に記載の二次電池の充電器付き机。
【請求項３】
前記充電器は、前記机の載置面に対して垂直な面に設けられたことを特徴とする請求項１又は請求項２に記載の二次電池の充電器付き机。
【請求項４】
前記机と前記充電器とは一体的に形成されたことを特徴とする請求項１から請求項３のうち何れか一項に記載の二次電池の充電器付き机。
【請求項５】
前記充電器の大きさは略タバコの箱のサイズに構成されて、単三型電池をセットするための収納凹部が２つ設けられたことを特徴とする請求項１から請求項４のうち何れか一項に記載の二次電池の充電器付き机。
【請求項６】
前記単三型電池をセットするための収納凹部内に、単四型電池をセットするための第２の収納凹部が設けられ、前記収納凹部にセットされた単三型電池のプラス極端子と前記第２の収納凹部にセットされた単四型電池のプラス極端子の両方が接触可能な構成で、前記両収納凹部の長手方向一側方の壁部にプラス側端子が取り付けられ、前記収納凹部にセットされた単三型電池のマイナス極端子と前記第２の収納凹部にセットされた単四型電池のマイナス極端子の両方が接触可能に収納凹部の長手方向に弾性変形可能な構成で、前記第１の収納凹部の長手方向他側方の壁部にマイナス側端子が取り付けられ、前記弾性変形可能なマイナス側端子の先端の移動経路に沿って、前記収納凹部内の長手方向他側端部に案内凹部が凹設される構成で、
前記マイナス側端子は、
前記収納凹部の長手方向他側方の壁部に取り付けられた基部と、
前記基部の一端から延出されて、該基部に対して収納凹部の長手方向に弾性回動可能な構成で、前記収納凹部にセットされた単三型電池のマイナス極端子と接触する第１の接触部と、
前記第１の接触部の一端から延設された、該第１の接触部に対して収納凹部の長手方向に弾性回動可能なアーム部と、
前記アーム部の一端から延設されて、前記アーム部が収納凹部の長手方向他側方へ弾性回動することにより前記第２の収納凹部にセットされた単四型電池のマイナス極端子と接触するとともに、前記収納凹部に単三型電池がセットされたときに、前記第１の接触部が収納凹部の長手方向他側方へ弾性回動することにより前記案内凹部内に没する前記マイナス側端子の先端の第２の接触部と、を備えた請求項５に記載の二次電池の充電器付き机。
【考案の詳細な説明】
【技術分野】
【０００１】
本考案は、二次電池の充電器付き机の構成に関する。
【背景技術】
【０００２】
従来、単語や漢字などを調べるのには、分厚い辞書を片手に、アルファベット順、アイウエオ順、部首順などに並ぶページに基づき目算をつけて１枚１枚ページをめくりながら調べていた。近年は、技術の累積進歩により、軽量でポータブルに持ち運びができる電子辞書が開発されており、この電子辞書はキーボードなどで単語や漢字などを入力するだけで容易にその意味を調べることができるようになっている。
この電子辞書の電源には二次電池などが用いられており、二次電池が切れれば該二次電池を充電器で充電する必要がある。この電子辞書は机で勉強するときなどに用いられることが多く、二次電池が切れたときに、机の引出しなどから充電器を取り出して、わざわざ電源コンセントがあるところまで行くのは面倒であるという声がある。
【特許文献１】実開平６−１５９号公報
【特許文献２】登録実用新案第３０３３１３８号公報
【考案の開示】
【考案が解決しようとする課題】
【０００３】
そこで、本考案では、このような点を鑑み、電子辞書や電卓（電子式卓上計算機）、ポータブルゲーム機などの二次電池が切れたときに、わざわざ机から動き回ることなく、手間・隙かけずに簡単に電池を二次充電することができる、二次電池の充電器付き机を提供することが課題である。
なお、本願の出願人の知る範囲では、従来、二次電池を充電するための充電器を具備する机はなく、非常用電源を備えた機能机（実開平６−１５９号公報）や、非常灯付き机（登録実用新案第３０３３１３８号公報）などが開示されているだけである。
【課題を解決するための手段】
【０００４】
本考案の解決しようとする課題は以上のとおりであり、次にこの課題を解決するための手段を説明する。
まず、請求項１に記載のように、二次電池を充電するための充電器を具備した机とする。
【０００５】
また、請求項２に記載のように、前記充電器は、前記机の前に座った人が立つことなしに手の届く範囲の部位に設けられるものとする。
【０００６】
そして、請求項３に記載のように、前記充電器は、前記机の載置面に対して垂直な面に設けられるものとする。
【０００７】
さらに、請求項４に記載のように、前記机と前記充電器とは一体的に形成されるものとする。
【０００８】
また、請求項５に記載のように、前記充電器の大きさは略タバコの箱のサイズに構成されて、単三型電池をセットするための収納凹部が２つ設けられるものとする。
【０００９】
そして、請求項６に記載のように、前記単三型電池をセットするための収納凹部内に、単四型電池をセットするための第２の収納凹部が設けられ、前記収納凹部にセットされた単三型電池のプラス極端子と前記第２の収納凹部にセットされた単四型電池のプラス極端子の両方が接触可能な構成で、前記両収納凹部の長手方向一側方の壁部にプラス側端子が取り付けられ、前記収納凹部にセットされた単三型電池のマイナス極端子と前記第２の収納凹部にセットされた単四型電池のマイナス極端子の両方が接触可能に収納凹部の長手方向に弾性変形可能な構成で、前記第１の収納凹部の長手方向他側方の壁部にマイナス側端子が取り付けられ、前記弾性変形可能なマイナス側端子の先端の移動経路に沿って、前記収納凹部内の長手方向他側端部に案内凹部が凹設される構成で、前記マイナス側端子は、前記収納凹部の長手方向他側方の壁部に取り付けられた基部と、前記基部の一端から延出されて、該基部に対して収納凹部の長手方向に弾性回動可能な構成で、前記収納凹部にセットされた単三型電池のマイナス極端子と接触する第１の接触部と、前記第１の接触部の一端から延設された、該第１の接触部に対して収納凹部の長手方向に弾性回動可能なアーム部と、前記アーム部の一端から延設されて、前記アーム部が収納凹部の長手方向他側方へ弾性回動することにより前記第２の収納凹部にセットされた単四型電池のマイナス極端子と接触するとともに、前記収納凹部に単三型電池がセットされたときに、前記第１の接触部が収納凹部の長手方向他側方へ弾性回動することにより前記案内凹部内に没する前記マイナス側端子の先端の第２の接触部と、を備えた構成とする。
【考案の効果】
【００１０】
本考案は、以上のように構成したことにより、次のような効果を奏する。
まず、請求項１に記載の考案では、机で勉強しているときなどに、電子辞書や電卓（電子式卓上計算機）、ポータブルゲーム機などの電気機器に用いられている二次電池が切れたときに、わざわざ机から動き回ることなく、手間・隙かけずに簡単に二次電池を充電することができ、利便性が向上する。
【００１１】
また、請求項２に記載の考案では、机で勉強しているときなどに、電子辞書や電卓（電子式卓上計算機）、ポータブルゲーム機などの電気機器に用いられている二次電池が切れたときに、わざわざ机から動き回ることなく机の前に座っている人が立つことなしに座ったままで、手間・隙かけずに簡単に二次電池を充電することができ、利便性が向上する。
【００１２】
そして、請求項３に記載の考案では、机の載置面には勉強道具等が置かれるため、充電器を、机の載置面に対して垂直な面に設けることで、スペースの有効利用を図ることができる。
【００１３】
さらに、請求項４に記載の考案では、充電器を机に組み付ける作業工程を省くことができ、組付行程数が減って、組付作業性が向上する。
【００１４】
また、請求項５に記載の考案では、前記充電器の大きさは略タバコの箱のサイズに構成されて、単三型電池をセットするための収納凹部が２つ設けられた構成としたことで、コンパクト化が図られ、机の上に置かれる勉強道具等の邪魔にならない。
【００１５】
そして、請求項６に記載の考案では、単三型電池であっても単四型電池であっても充電器にセットするときに、ワンタッチで簡単にセットすることができ、利便性の向上が図られている。さらに、この構成では、単三型電池のセット位置と単四型電池のセット位置が複雑に入り組んでいないのでどこにセットしていいのか迷うこともなく、そのセット位置が機器の取扱いに弱い人でも容易にわかり、単三型電池をセットするときも、単四型電池をセットするときも略同じ位置から同じ手順でセットすることができ、マイナス側端子の弾性回動により両サイズの電池のセット位置が調整されるようになっていて使い勝手がよい。
【考案を実施するための最良の形態】
【００１６】
次に、本考案の実施の一形態を、図面を参照しながら説明する。
図１に示すように、本考案に係る机５は二次電池を充電するための充電器１を具備している。この充電器１は、机５の前に座った人が立つことなしに手の届く範囲の、机５の部位に設けられており、例えば、図１、図２、図３などに示すような箇所に配置されている。
【００１７】
図１では充電器１は机５の本棚の底板部分を構成する基部５２の前面に取り付けられており、図２、図３は充電器１は机５の両側の外枠を構成する一方の側板５３の内側面に取り付けられ、図２では縦向きに、図３では横向きに配置されている。
また、机５にはその一端にプラグを備えた電源コード（図示略）が設けられており、該電源コードの他端は充電器１に接続されて、該プラグをコンセントに差し込むことで、充電器１に電力が供給されるように構成されている。
【００１８】
以上の３例では、机５の載置面５１には勉強道具等が置かれるため、充電器１は、机５の載置面５１に対して垂直な面に設けられており、これによりスペースの有効利用が図られている。
【００１９】
この充電器１は机５と一体的に形成してもよく、あるいは、別体に構成してネジ等で組付けるように構成してもよい。充電器１を机５と一体的に形成する場合は、充電器１を机５に組み付ける作業工程が省かれ、組付行程数が減って組付作業性の向上を図ることができる。
【００２０】
このような構成で、机５で勉強しているときなどに、電子辞書や電卓（電子式卓上計算機）、ポータブルゲーム機などの電気機器に用いられている二次電池が切れたときに、わざわざ机５から動き回ることなく、机５の前に座っている人が立つことなしに座ったままで、手間・隙かけずに簡単に二次電池を充電することができ、利便性の向上が図られている。
【００２１】
次に、二次電池の充電器１の構成について説明する。
図４に示すように、この充電器１は２つの電池セット部１０・１０を備え、各電池セット部１０には２種類のサイズ（単三型電池３０と単四型電池４０）の二次電池（以下、電池という）がセット可能に構成されている。
【００２２】
この単三型電池３０と単四型電池４０がセット可能な充電器１は、国産タバコ２０本入標準箱と同程度の寸法で、短手方向長さは単三型電池３０の長手方向長さと略同じ長さに、長手方向長さは単三型電池３０の長手方向長さの１．５倍以内に、高さは単三型電池３０の直径の１．７５倍以内としてコンパクト化が図られ、業界最小寸法に構成されている。
【００２３】
図４から図７に示すように、前記各電池セット部１０は、前記２種類のサイズの電池のうちの大きい方のサイズである単三型電池３０がセットされる第１の収納凹部１１と、第１の収納凹部１１内の長手方向一側端から長手方向他側へ向けて凹設され、２種類のサイズの電池のうちの小さい方のサイズである単四型電池４０がセットされる第２の収納凹部１２と、第１の収納凹部１１にセットされた単三型電池３０のプラス極端子と第２の収納凹部にセットされた単四型電池４０のプラス極端子の両方が接触可能な構成で、第２の収納凹部１２が凹む方向に長手形状に形成されて、両収納凹部１１・１２の長手方向一側方の壁部１５に取り付けられたプラス側端子１９と、第１の収納凹部１１にセットされた単三型電池３０のマイナス極端子と第２の収納凹部１２にセットされた単四型電池４０のマイナス極端子の両方が接触可能に収納凹部の長手方向に弾性変形可能な構成で、第１の収納凹部１１の長手方向他側方の壁部１６に取り付けられたマイナス側端子２０と、弾性変形可能なマイナス側端子２０の先端（後述の第２の接触部２４）の移動経路に沿って、第１の収納凹部１１内の長手方向他側端部に凹設された案内凹部１３と、を備えている。
【００２４】
図８に示すように、第２の収納凹部１２は第１の収納凹部１１の下部から凹陥しており、該第１の収納凹部１１は単三型電池３０の下半部の外周形状に沿った凹曲面に形成され、該第２の収納凹部１１は単四型電池４０の下部の外周形状に沿った凹曲面に形成されている。このような構成で、第１の収納凹部１１には、単三型電池３０の下半部が収まり、該単三型電池３０の下半部における半径方向両側部が第１の収納凹部１１の凹曲面に支持され、該単三型電池３０の下端部は前記第２の収納凹部１２上に位置して中空に浮いた状態となる。また、第２の収納凹部１２には、単四型電池４０の下部が隙間なく収まるように構成されている。
【００２５】
図５、図７に示すように、前記マイナス側端子２０は、第１の収納凹部１１の長手方向他側方の壁部１６に取り付けられた基部２１と、該基部２１の一端２１ｃから延出された第１の接触部２２と、該第１の接触部２２の一端２２ａから延設されたアーム部２３と、該アーム部２３の一端２３ａから延設された第２の接触部２４と、を備えている。
【００２６】
前記基部２１は側面視「Ｊ」字を上下逆にした形状で、前記壁部１６に取り付けられた垂直部２１ａと、該垂直部の上端から円弧状に湾曲する円弧部２１ｂとを有し、このマイナス側端子２０の基部２１の垂直部２１ａの下端と、前記プラス側端子１９の下端とは回路基板１８に接続されて、両端子間１９・２０が通電可能に構成されている。
基部２１の円弧部２１ｂは略１８０度の弧で形成されて、該円弧部２１ｂの一端２１ｃから第１の接触部２２が延設されている。この第１の接触部２２は、図９に示すように、基部２１に対して収納凹部の長手方向に弾性回動可能な構成で、第１の収納凹部１１にセットされた単三型電池３０のマイナス極端子と接触するように構成されている。
【００２７】
前記アーム部２３は側面視「Ｌ」字状に形成されて、該アーム部２３は第１の接触部２２に対して収納凹部の長手方向に弾性回動可能に構成されている。このアーム部２３は、図５に示すように、その横幅（収納凹部の短手方向に対する長さ）が第１の接触部２２の横幅よりも狭く形成されており、アーム部２３の方が第１の接触部２２よりも弾性変形し易く構成されている。図５では、アーム部２３は第１の接触部２２の一端から第２の接触部２４へ向けて徐々に横幅が狭くなるようにテーパー状に形成されているが、この形状に限定するものではない。
【００２８】
このようにアーム部２３の横幅を第１の接触部２２の横幅よりも狭く形成することで、充電器１の第２の収納凹部１２に単四型電池４０をセットするときに、第１の接触部２２がアーム部２３に連れて弾性回動するのを効果的に防いで、アーム部２３を第１の接触部２２の一端２２ａを中心に回動させることができ、アーム部２３の一端２３ａから延設された第２の接触部２４に単四型電池４０のマイナス極端子が確実に当たるようにすることができて、信頼性の向上が図られている。
【００２９】
また、アーム部２３の肉厚を第１の接触部２２の肉厚よりも薄く形成してもよく、この場合も、アーム部２３の方が第１の接触部２２よりも弾性変形し易くなって、充電器１の第２の収納凹部１２に単四型電池４０をセットするときに、第１の接触部２２がアーム部２３に連れて弾性回動するのを効果的に防いで、アーム部２３を第１の接触部２２の一端を中心に回動させることができ、アーム部２３の一端から延設された第２の接触部２４に単四型電池４０のマイナス極端子が確実に当たるようにすることができて、信頼性の向上を図ることができる。
【００３０】
前記第２の接触部２４は円弧状に丸みを帯びた形状に形成されて、マイナス側端子２０の先端に設けられ、アーム部２３が収納凹部の長手方向他側方へ弾性回動することにより第２の収納凹部２２にセットされた単四型電池４０のマイナス極端子と接触するとともに（図１０参照）、第１の収納凹部１１に単三型電池３０がセットされたときに、前記第１の接触部１１が収納凹部の長手方向他側方へ弾性回動することにより前記案内凹部１３内に略完全に没する（図９参照）ように構成されている。
【００３１】
なお、第２の接触部２４の形状は円弧状に限定するものではなく、三角形状でその角をＲ面取りをした形状などでもよく、その丸みを帯びた形状は特に限定はしない。
この第２の接触部２４は第２の収納凹部２２にセットされる単四型電池４０のマイナス極端子にソフトに当たって、双方が傷つくのを防止している。
【００３２】
また、図７、図８に示すように、前記案内溝部１３には、単四型電池４０がセットされる側の側部（反壁部１６側の側部）に、前記第２の接触部２４が該第２の接触部２４の前記第１の接触部２２の一端２２ａを中心とした回動軌跡面から所定量（例えば、数ｍｍ）以上下方（電池のセット方向）へ変位するのを規制する規制部材１７が設けられている。この規制部材１７は壁部１６側の上部に傾斜面が形成されており、アーム部２３が規制部材１７の傾斜面に当たるようなことがあれば、該規制部材１７の傾斜面に案内されながらアーム部２３は回動するように構成されている。
なお、この規制部材１７は第２の収納凹部１２を形成するフレームと一体的に形成されていても、別体で形成されていてもよい。
【００３３】
このような構成で、充電器１の第２の収納凹部１２に単四型電池４０をセットするときに、アーム部２３の弾性回動に連れて第１の接触部２２が基部２１に対して弾性回動してアーム部２３が電池のセット方向へ下がろうとしたときに、規制部材１７によってアーム部２３の一端から延設された第２の接触部２４が該第２の接触部２４の前記第１の接触部２２の一端２２ａを中心とした回動軌跡面から所定量以上下方へ変位するのを規制することができて、該第２の接触部２４に単四型電池４０のマイナス極端子が確実に当たるようにすることができ、信頼性の向上が図られている。
【００３４】
以上のように本考案が構成され、本考案では、単三型電池３０であっても単四型電池４０であっても充電器１にセットするときに、ワンタッチで簡単にセットすることができ、利便性の向上が図られている。さらに、本考案の構成では、単三型電池３０のセット位置と単四型電池４０のセット位置が複雑に入り組んでいないのでどこにセットしていいのか迷うこともなく、そのセット位置が機器の取扱いに弱い人でも容易にわかり、単三型電池３０をセットするときも、単四型電池４０をセットするときも略同じ位置から同じ手順でセットすれことができ、マイナス側端子２０の弾性回動により両サイズの電池３０・４０のセット位置が調整されるようになっていて使い勝手がよいように構成されている。
【図面の簡単な説明】
【００３５】
【図１】二次電池の充電器１付き机５の斜視図。
【図２】二次電池の充電器１付き机５の斜視図。
【図３】二次電池の充電器１付き机５の斜視図。
【図４】二次電池の充電器１の斜視図。
【図５】電池セット部１０の平面図。
【図６】マイナス側端子２０を取り除いた状態での電池セット部１０の平面図。
【図７】図５における矢視Ａ−Ａ断面図。
【図８】図６における矢視Ｂ−Ｂ断面図。
【図９】電池セット部１０の単三型電池３０をセットした状態の図。
【図１０】電池セット部１０の単四型電池４０をセットした状態の図。
【符号の説明】
【００３６】
１    充電器
５    机
１０    電池セット部
１１    第１の収納凹部
１２    第２の収納凹部
１３    案内凹部
１７    規制部材
１９    プラス側端子
２０    マイナス側端子
２１    基部
２２    第１の接触部
２３    アーム部
２４    第２の接触部
３０    単三型電池
４０    単四型電池
５１    載置面
５２    基部
５３    側板
【図１】
0003106009.tif 000003
【図２】
0003106009.tif 000004
【図３】
0003106009.tif 000005
【図４】
0003106009.tif 000006
【図５】
0003106009.tif 000007
【図６】
0003106009.tif 000008
【図７】
0003106009.tif 000009
【図８】
0003106009.tif 000010
【図９】
0003106009.tif 000011
【図１０】
0003106009.tif 000012